(57)【要約】【課題】揚水効率がより高まる空気揚水装置を提供する。【解決手段】揚水筒１の外周囲に、下端が閉塞され上端が開放された内側空気室２と、下端が開放され上端が閉塞された外側空気室３とが設けられ、内側空気室２の内壁部分の潜り堰状部４を介して揚水筒１内に連通する連通路５が形成されて、空気供給口６から供給された空気ａで外側空気室３と内側空気室２の内部に流入した水を押し下げながら、潜り堰状部４から連通路５を介して揚水筒１から空気塊ｂとして一気に放出することで、下層水ｃを上層に揚水するようにした空気揚水装置であって、内側空気室２の外壁部分における潜り堰状部４の下端位置付近若しくはそれよりも下方位置に注水穴２ｂ，２ｃが形成されている。【選択図】図１
2009207970.tif 000002
【特許請求の範囲】
【請求項１】
揚水筒の外周囲に、下端が閉塞され上端が開放された内側空気室と、下端が開放され上端が閉塞された外側空気室とが設けられ、内側空気室の内壁部分の潜り堰状部を介して揚水筒内に連通する連通路が形成されて、空気供給口から供給された空気で外側空気室と内側空気室の内部に流入した水を押し下げながら、潜り堰状部から連通路を介して揚水筒から空気塊として一気に放出することで、下層水を上層に揚水するようにした空気揚水装置であって、
前記内側空気室の外壁部分における前記潜り堰状部の下端位置付近若しくはそれよりも下方位置に注水穴が形成されていることを特徴とする空気揚水装置。
【請求項２】
揚水筒の外周囲に、下端が閉塞され上端が開放された内側空気室と、下端が開放され上端が閉塞された外側空気室とが設けられ、内側空気室の内壁部分の潜り堰状部を介して揚水筒内に連通する連通路が形成されて、空気供給口から供給された空気で外側空気室と内側空気室の内部に流入した水を押し下げながら、潜り堰状部から連通路を介して揚水筒から空気塊として一気に放出することで、下層水を上層に揚水するようにした空気揚水装置であって、
前記外側空気室の閉塞部に１個の空気供給口が形成されるとともに、この閉塞部との間に空気溜まり部を生じさせる内部閉塞部が形成されて、この内部閉塞部に、円周上等角度間隔で複数個の空気供給口が形成されていることを特徴とする空気揚水装置。
【請求項３】
揚水筒の外周囲に、下端が閉塞され上端が開放された内側空気室と、下端が開放され上端が閉塞された外側空気室とが設けられ、内側空気室の内壁部分の潜り堰状部を介して揚水筒内に連通する連通路が形成されて、空気供給口から供給された空気で外側空気室と内側空気室の内部に流入した水を押し下げながら、潜り堰状部から連通路を介して揚水筒から空気塊として一気に放出することで、下層水を上層に揚水するようにした空気揚水装置であって、
前記内側空気室と外側空気室とは、それぞれ容量を同程度に維持した状態で、高さを低くしながら横方向に拡大されていることを特徴とする空気揚水装置。
【請求項４】
揚水筒の外周囲に、下端が閉塞され上端が開放された内側空気室と、下端が開放され上端が閉塞された外側空気室とが設けられ、内側空気室の内壁部分の潜り堰状部を介して揚水筒内に連通する連通路が形成されて、空気供給口から供給された空気で外側空気室と内側空気室の内部に流入した水を押し下げながら、潜り堰状部から連通路を介して揚水筒から空気塊として一気に放出することで、下層水を上層に揚水するようにした空気揚水装置であって、
前記外側空気室の外壁部分の下端、内側空気室の外壁部分の上端および潜り堰状部の下端は、全周に亘って山切りカットに形成されているとともに、この山切りカットの端縁は、アール若しくはカット面に形成されていることを特徴とする空気揚水装置。
【発明の詳細な説明】
【技術分野】
【０００１】
本発明は、空気揚水装置に関する。
【背景技術】
【０００２】
従来、揚水筒から空気を放出して下層水を上層に揚水することで、ダム湖等の水質浄化を行うようにした空気揚水装置がある（特許文献１参照）。
【０００３】
かかる空気揚水装置では、圧縮空気を送給管から揚水筒に直に送給するだけであったから、空気が空気塊として揚水筒から一気に放出され難いので、揚水効率が低かった。
【０００４】
一方、図５に示す先行技術であるタイプＡの空気揚水装置、または図６に示す先行技術であるタイプＢの空気揚水装置ように、揚水筒１の外周囲に、下端が閉塞され上端が開放された内側空気室２と、下端が開放され上端が閉塞された外側空気室３とが設けられ、内側空気室２の内壁部分の潜り堰状部４を介して揚水筒１内に連通する連通路５が形成されて、図５または図６の各（ｂ）〜（ｄ）のように、空気供給口６から供給された空気ａで外側空気室３と内側空気室２の内部に流入した水を押し下げながら、潜り堰状部４から連通路５を介して揚水筒１から空気塊（若しくは気泡弾）ｂとして一気に放出することで、水深４０ｍ程度の下層水ｃを水深２０ｍ程度の上層に揚水するようにした空気揚水装置が提案されている。なお、揚水筒１を水底７に自立させるために、揚水筒１の上部にフロート８が設けられるとともに、揚水筒１の下部は、水底７のシンカー９に係留ワイヤー１０で係留されている。
【特許文献１】特開平１０−１６５９８８号公報
【発明の開示】
【発明が解決しようとする課題】
【０００５】
しかしながら、前記タイプＡまたはタイプＢの空気揚水装置であっても、空気ａが空気塊ｂとして揚水筒１から一気に放出され難かったので揚水効率に限界があって、揚水効率をより高めたいという要望があった。
【０００６】
本発明は、前記要望に応えるためになされたもので、揚水効率がより高まる空気揚水装置を提供することを目的とするものである。
【課題を解決するための手段】
【０００７】
前記課題を解決するために、本発明の請求項１は、揚水筒の外周囲に、下端が閉塞され上端が開放された内側空気室と、下端が開放され上端が閉塞された外側空気室とが設けられ、内側空気室の内壁部分の潜り堰状部を介して揚水筒内に連通する連通路が形成されて、空気供給口から供給された空気で外側空気室と内側空気室の内部に流入した水を押し下げながら、潜り堰状部から連通路を介して揚水筒から空気塊として一気に放出することで、下層水を上層に揚水するようにした空気揚水装置であって、前記内側空気室の外壁部分における前記潜り堰状部の下端位置付近若しくはそれよりも下方位置に注水穴が形成されていることを特徴とする空気揚水装置を提供するものである。
【０００８】
本発明の請求項２は、揚水筒の外周囲に、下端が閉塞され上端が開放された内側空気室と、下端が開放され上端が閉塞された外側空気室とが設けられ、内側空気室の内壁部分の潜り堰状部を介して揚水筒内に連通する連通路が形成されて、空気供給口から供給された空気で外側空気室と内側空気室の内部に流入した水を押し下げながら、潜り堰状部から連通路を介して揚水筒から空気塊として一気に放出することで、下層水を上層に揚水するようにした空気揚水装置であって、前記外側空気室の閉塞部に１個の空気供給口が形成されるとともに、この閉塞部との間に空気溜まり部を生じさせる内部閉塞部が形成されて、この内部閉塞部に、円周上等角度間隔で複数個の空気供給口が形成されていることを特徴とする空気揚水装置を提供するものである。
【０００９】
本発明の請求項３は、揚水筒の外周囲に、下端が閉塞され上端が開放された内側空気室と、下端が開放され上端が閉塞された外側空気室とが設けられ、内側空気室の内壁部分の潜り堰状部を介して揚水筒内に連通する連通路が形成されて、空気供給口から供給された空気で外側空気室と内側空気室の内部に流入した水を押し下げながら、潜り堰状部から連通路を介して揚水筒から空気塊として一気に放出することで、下層水を上層に揚水するようにした空気揚水装置であって、前記内側空気室と外側空気室とは、それぞれ容量を同程度に維持した状態で、高さを低くしながら横方向に拡大されていることを特徴とする空気揚水装置を提供するものである。
【００１０】
本発明の請求項４は、揚水筒の外周囲に、下端が閉塞され上端が開放された内側空気室と、下端が開放され上端が閉塞された外側空気室とが設けられ、内側空気室の内壁部分の潜り堰状部を介して揚水筒内に連通する連通路が形成されて、空気供給口から供給された空気で外側空気室と内側空気室の内部に流入した水を押し下げながら、潜り堰状部から連通路を介して揚水筒から空気塊として一気に放出することで、下層水を上層に揚水するようにした空気揚水装置であって、前記外側空気室の外壁部分の下端、内側空気室の外壁部分の上端および潜り堰状部の下端は、全周に亘って山切りカットに形成されているとともに、この山切りカットの端縁は、アール若しくはカット面に形成されていることを特徴とする空気揚水装置を提供するものである。
【発明の効果】
【００１１】
本発明の請求項１によれば、内側空気室の外壁部分における潜り堰状部の下端位置付近若しくはそれよりも下方位置に注水穴を形成したから、連通路から空気塊が放出される同時に、外部の水が注水穴から内側空気室の内部に直に流入して、潜り堰状部が迅速に封止される。そのため、空気供給口から外側空気室と内側空気室とに供給された空気が、潜り堰状部から連通路を介して揚水筒にバラバラと散気状態で放出され続けることがなくなるので、空気塊の放出間隔が短くなって、揚水効率がより高まるようになる。
【００１２】
本発明の請求項２によれば、１個の空気供給口を形成した外側空気室の閉塞部との間に空気溜まり部を生じさせる内部閉塞部に、複数個の空気供給口を形成したから、１個の空気供給口であっても、複数個の空気供給口から外側空気室と内側空気室とに空気が片寄らないで均等に供給されるので、潜り堰状部から連通路を介して揚水筒に放出される空気塊の大きさがばらつかなくなって、揚水効率がより高まるようになる。
【００１３】
本発明の請求項３によれば、内側空気室と外側空気室とを、それぞれ容量を同程度に維持した状態で、高さを低くしながら横方向に拡大したから、外側空気室と内側空気室の内壁面積が小さくなるので、外側空気室と内側空気室の内壁の抵抗が減少し、その結果、潜り堰状部から連通路を介して揚水筒に空気塊がスムーズに放出しやすくなって、揚水効率がより高まるようになる。
【００１４】
本発明の請求項４によれば、外側空気室の外壁部分の下端、内側空気室の外壁部分の上端および潜り堰状部の下端を全周に亘って山切りカットに形成したから、揚水筒が傾いているような場合であっても、片寄った空気が山切りカットから万遍なく抜け出しやすくなるとともに、これと相俟って、山切りカットの端縁をアール若しくはカット面に形成したから、空気の引っ掛かり抵抗が減少することで、揚水効率がより高まるようになる。
【発明を実施するための最良の形態】
【００１５】
以下、本発明を実施するための最良の形態について、図面を参照しながら詳細に説明する。なお、背景技術と同一構成・作用の箇所は、同一番号を付して詳細な説明を省略する。
【００１６】
（実施形態１）
図１（ａ）は、前記タイプＡの空気揚水装置の内側空気室２と外側空気室３の部分の拡大断面図、図１（ｂ）は、前記タイプＡと同構造の本発明の実施形態１１Ａの空気揚水装置の内側空気室２と外側空気室３の部分の拡大断面図である。
【００１７】
前記タイプＡの空気揚水装置は、図１（ａ）に示したように、外側空気室３の外壁部分の下端３ａは、潜り堰状部４の下端４ａよりも下方に長く（距離Ｌ参照）設定されており、連通路５は、図５を参照すれば、円周上等角度間隔で揚水筒１の４箇所に形成されて、この周囲４箇所の連通路５の出口５ａから空気塊ｂが放出されるようになっている。
【００１８】
そして、連通路５の出口５ａから空気塊ｂが放出されると同時に、下部開口３ｇから外側空気室３の内部に外部の水が流入し、この水が内側空気室２の外壁部分の上端２ｅの上部開口２ａから内側空気室２の内部に流入することで、潜り堰状部４が封止され、その後、空気供給口６から外側空気室３と内側空気室２とに空気ａが供給されて蓄えられるようになる。
【００１９】
しかしながら、外部の水が下部開口３ｇから外側空気室３の内部、さらに上部開口２ａから内側空気室２の内部に流入して潜り堰状部４を封止するまでに時間がかかって、潜り堰状部４が封止されるまでの間は、空気供給口６から外側空気室３と内側空気室２とに供給された空気ａは、潜り堰状部４から連通路５を介して揚水筒１にバラバラと散気状態で放出され続けるので、空気塊ｂの放出間隔が長くなって揚水効率に限界があった。
【００２０】
そこで、実施形態１１Ａの空気揚水装置では、図１（ｂ）に示したように、内側空気室２の外壁部分における潜り堰状部４の下端位置付近に側部注水穴２ｂを形成するとともに、それよりも下方位置の底壁に底部注水穴２ｃを形成している。なお、側部注水穴２ｂと底部注水穴２ｃとは、いずれか一方であっても良い。また、側部注水穴２ｂと底部注水穴２ｃとは、それぞれ円周上等角度間隔で複数個を形成することが好ましい。さらに、外部の水が各注水穴２ｂ，２ｃからスムーズに注水されるように、外側空気室３の外壁部分の下端３ａは、潜り堰状部４の下端４ａとほぼ同じ高さまで短くすることが好ましい。
【００２１】
実施形態１１Ａによれば、内側空気室２の外壁部分における潜り堰状部４の下端位置付近若しくはそれよりも下方位置に注水穴２ｂ，２ｃを形成したから、連通路５から空気塊ｂが放出されると同時に、外部の水が注水穴２ｂ，２ｃから内側空気室２の内部に直に流入して、潜り堰状部４が迅速に封止されるようになる。そのため、空気供給口６から外側空気室３と内側空気室２とに供給された空気ａが、潜り堰状部４から連通路５を介して揚水筒１にバラバラと散気状態で放出され続けることがなくなるので、空気塊ｂの放出間隔（３０秒〜６０秒程度に設定）が短くなって、揚水効率がより高まるようになる。
【００２２】
図１（ｃ）は、前記タイプＢの空気揚水装置の内側空気室２と外側空気室３の部分の拡大断面図、図１（ｄ）は、前記タイプＢと同構造の本発明の実施形態１１Ｂの空気揚水装置の内側空気室２と外側空気室３の部分の拡大断面図である。
【００２３】
前記タイプＢの空気揚水装置は、図１（ｃ）に示したように、前記外側空気室３の外壁部分の下端３ａは、前記潜り堰状部４の下端４ａよりも下方に長く（距離Ｌ参照）設定されており、連通路５は、中央１箇所に形成されて、この１箇所の連通路５の出口５ａから空気塊ｂが放出されるようになっている。
【００２４】
そして、前記タイプＡと同様に、潜り堰状部４が封止されるまでの間は、空気供給口６から外側空気室３と内側空気室２とに供給された空気ａは、潜り堰状部４から連通路５を介して揚水筒１にバラバラと散気状態で放出され続けるので、空気塊ｂの放出間隔が長くなって揚水効率に限界があった。
【００２５】
そこで、実施形態１１Ｂの空気揚水装置では、図１（ｄ）に示したように、内側空気室２の外壁部分における潜り堰状部４の下端位置付近に側部注水穴２ｂを形成するとともに、それよりも下方位置の底壁に底部注水穴２ｃを形成している。
【００２６】
実施形態１１Ｂによれば、内側空気室２の外壁部分における潜り堰状部４の下端位置付近若しくはそれよりも下方位置に注水穴２ｂ，２ｃを形成したから、連通路５から空気塊ｂが放出される同時に、外部の水が注水穴２ｂ，２ｃから内側空気室２の内部に直に流入して、潜り堰状部４が迅速に封止されるようになる。そのため、空気供給口６から外側空気室３と内側空気室２とに供給された空気ａが、潜り堰状部４から連通路５を介して揚水筒１にバラバラと散気状態で放出され続けることがなくなるので、空気塊ｂの放出間隔が短くなって、揚水効率がより高まるようになる。
【００２７】
（実施形態２）
図２（ａ）は、前記タイプＡの空気揚水装置の内側空気室２と外側空気室３の部分の拡大断面図、図２（ｂ）は、前記タイプＡと同構造の本発明の実施形態１２Ａの空気揚水装置の内側空気室２と外側空気室３の部分の拡大断面図である。
【００２８】
前記タイプＡの空気揚水装置は、図２（ａ）に示したように、外側空気室３の上端閉塞部３ｂに１個の空気供給口６が形成されているだけであった。そのために、外側空気室３と内側空気室２の内部の水圧の影響等で、外側空気室３と内側空気室２とに空気ａが均等に供給されないで片寄ることがあり、その結果、潜り堰状部４から連通路５を介して揚水筒１に放出される空気塊ｂの大きさがばらついて揚水効率に限界があった。
【００２９】
そこで、実施形態１２Ａの空気揚水装置では、図２（ｂ）に示したように、上端閉塞部３ｂとの間に空気溜まり部３ｃを生じさせる内部閉塞部３ｄを形成して、この内部閉塞部３ｄに、円周上等角度間隔で複数個（例えば６個）の空気供給口３ｅを形成している。
【００３０】
実施形態１２Ａによれば、１個の空気供給口６を形成した外側空気室３の上端閉塞部３ｂとの間に空気溜まり部３ｃを生じさせる内部閉塞部３ｄに、複数個の空気供給口３ｅを形成したから、１個の空気供給口６であっても、複数個の空気供給口３ｅから外側空気室３と内側空気室２とに空気ａが片寄らないで均等に供給されるので、潜り堰状部４から連通路５を介して揚水筒１に放出される空気塊ｂの大きさがばらつかなくなって、揚水効率がより高まるようになる。
【００３１】
図２（ｃ）は、前記タイプＢの空気揚水装置の内側空気室２と外側空気室３の部分の拡大断面図、図２（ｄ）は、前記タイプＢと同構造の本発明の実施形態１２Ｂの空気揚水装置の内側空気室２と外側空気室３の部分の拡大断面図である。
【００３２】
前記タイプＢの空気揚水装置は、図２（ｃ）に示したように、図２（ａ）のタイプＡと同様に、外側空気室３の側部閉塞部３ｆ〔図６（ａ）参照〕に１個の空気供給口６が形成されているだけであったために、潜り堰状部４から連通路５を介して揚水筒１に放出される空気塊ｂの大きさがばらついて揚水効率に限界があった。
【００３３】
そこで、実施形態１２Ｂの空気揚水装置では、図２（ｄ）に示したように、外側空気室３の上端閉塞部３ｂに１個の空気供給口６を形成するとともに、上端閉塞部３ｂとの間に空気溜まり部３ｃを生じさせる内部閉塞部３ｄを形成して、この内部閉塞部３ｄに、円周上等角度間隔で複数個（例えば６個）の空気供給口３ｅを形成している。
【００３４】
実施形態１２Ｂによれば、１個の空気供給口６を形成した外側空気室３の上端閉塞部３ｂとの間に空気溜まり部３ｃを生じさせる内部閉塞部３ｄに、複数個の空気供給口３ｅを形成したから、１個の空気供給口６であっても、複数個の空気供給口３ｅから外側空気室３と内側空気室２とに空気ａが片寄らないで均等に供給されるので、潜り堰状部４から連通路５を介して揚水筒１に放出される空気塊ｂの大きさがばらつかなくなって、揚水効率がより高まるようになる。
【００３５】
（実施形態３）
図３（ａ）は、前記タイプＡの空気揚水装置の内側空気室２と外側空気室３の部分の拡大断面図、図３（ｂ）は、前記タイプＡと同構造の本発明の実施形態１３Ａの空気揚水装置の内側空気室２と外側空気室３の部分の拡大断面図である。
【００３６】
前記タイプＡの空気揚水装置は、図３（ａ）に示したように、内側空気室２と外側空気室３とは、高さＨ１が比較的高くなっている（例えば３５０〜４００ｍｍ）。そのために、外側空気室３と内側空気室２の内壁面積が大きいので、外側空気室３と内側空気室２とに蓄えられた空気ａが潜り堰状部４から連通路５を介して揚水筒１から空気塊ｂとして一気に放出される際に、外側空気室３と内側空気室２の内壁が抵抗となり、その結果、潜り堰状部４から連通路５を介して揚水筒１に空気塊ｂがスムーズに放出されにくくなって揚水効率に限界があった。
【００３７】
そこで、実施形態１３Ａの空気揚水装置では、図３（ｂ）に示したように、内側空気室２と外側空気室３とは、それぞれ容量を同程度に維持した状態で、タイプＡの高さＨ１と比較して、高さＨ２を約１／３程度に低くしながら（例えば１００〜１５０ｍｍ）横方向Ｗに拡大している。
【００３８】
実施形態１３Ａによれば、内側空気室２と外側空気室３とを、それぞれ容量を同程度に維持した状態で、高さＨ２を低くしながら横方向Ｗに拡大したから、外側空気室３と内側空気室２の内壁面積が小さくなるので、外側空気室３と内側空気室２の内壁の抵抗が減少し、その結果、潜り堰状部４から連通路５を介して揚水筒１に空気塊ｂがスムーズに放出しやすくなって、揚水効率がより高まるようになる。
【００３９】
図３（ｃ）は、前記タイプＢの空気揚水装置の内側空気室２と外側空気室３の部分の拡大断面図、図３（ｄ）は、前記タイプＢと同構造の本発明の実施形態１３Ｂの空気揚水装置の内側空気室２と外側空気室３の部分の拡大断面図である。
【００４０】
前記タイプＢの空気揚水装置は、図３（ｃ）に示したように、図３（ａ）のタイプＡと同様に、内側空気室２と外側空気室３とは、高さＨ１が比較的高くなっているために、潜り堰状部４から連通路５を介して揚水筒１に空気塊ｂがスムーズに放出されにくくなって揚水効率に限界があった。
【００４１】
そこで、実施形態１３Ｂの空気揚水装置では、図３（ｄ）に示したように、内側空気室２と外側空気室３とは、それぞれ容量を同程度に維持した状態で、タイプＢの高さＨ１と比較して、高さＨ２を約１／３程度に低くしながら横方向Ｗに拡大している。
【００４２】
実施形態１３Ｂによれば、内側空気室２と外側空気室３とを、それぞれ容量を同程度に維持した状態で、高さＨ２を低くしながら横方向Ｗに拡大したから、外側空気室３と内側空気室２の内壁面積が小さくなるので、外側空気室３と内側空気室２の内壁の抵抗が減少し、その結果、潜り堰状部４から連通路５を介して揚水筒１に空気塊ｂがスムーズに放出しやすくなって、揚水効率がより高まるようになる。
【００４３】
（実施形態４）
図４（ａ）は、前記タイプＡ，Ｂの外側空気室３の外壁部分の下端３ａ、内側空気室２の外壁部分の上端２ｅおよび潜り堰状部４の下端４ａの要部正面図、図４（ｂ）は、下端３ａ、上端２ｅおよび下端４ａの断面図であり、下端３ａ、上端２ｅおよび下端４ａは、水平状になっている。
【００４４】
図４（ｃ）は、前記各実施形態１１Ａ〜１３Ｂの別実施形態としての外側空気室３の外壁部分の下端３ａ、内側空気室２の外壁部分の上端２ｅおよび潜り堰状部４の下端４ａの要部正面図、図４（ｄ）（ｅ）（ｆ）は、それぞれ下端３ａ、上端２ｅおよび下端４ａの断面図である。
【００４５】
図４（ｃ）のように、外側空気室３の外壁部分の下端３ａ、内側空気室２の外壁部分の上端２ｅおよび潜り堰状部４の下端４ａは、全周に亘って山切りカットｍに形成している。加えて、この山切りカットｍの端縁は、アール若しくはカット面ｎに形成している。
【００４６】
このように、外側空気室３の外壁部分の下端３ａ、内側空気室２の外壁部分の上端２ｅおよび潜り堰状部４の下端４ａを全周に亘って山切りカットｍに形成したから、揚水筒１が傾いているような場合であっても、片寄った空気が山切りカットｍから万遍なく抜け出しやすくなるとともに、これと相俟って、山切りカットｍの端縁をアール若しくはカット面ｎに形成したから、空気の引っ掛かり抵抗が減少することで、揚水効率がより高まるようになる。
【００４７】
前記各実施形態は、それぞれ独立して実施できる他、いずれかの実施形態を適宜に組み合わせ、または全ての実施形態を組み合わせて実施することができる。
【図面の簡単な説明】
【００４８】
【図１】（ａ）は先行技術であるタイプＡの空気揚水装置の内側空気室と外側空気室の部分の拡大断面図、（ｂ）は先行技術であるタイプＡと同構造の本発明の実施形態１１Ａの空気揚水装置の内側空気室と外側空気室の部分の拡大断面図、（ｃ）は、先行技術であるタイプＢの空気揚水装置の内側空気室と外側空気室の部分の拡大断面図、（ｄ）は、先行技術であるタイプＢと同構造の本発明の実施形態１１Ｂの空気揚水装置の内側空気室と外側空気室の部分の拡大断面図である。
【図２】（ａ）は先行技術であるタイプＡの空気揚水装置の内側空気室と外側空気室の部分の拡大断面図、（ｂ）は先行技術であるタイプＡと同構造の本発明の実施形態１２Ａの空気揚水装置の内側空気室と外側空気室の部分の拡大断面図、（ｃ）は、先行技術であるタイプＢの空気揚水装置の内側空気室と外側空気室の部分の拡大断面図、（ｄ）は、先行技術であるタイプＢと同構造の本発明の実施形態１２Ｂの空気揚水装置の内側空気室と外側空気室の部分の拡大断面図である。
【図３】（ａ）は先行技術であるタイプＡの空気揚水装置の内側空気室と外側空気室の部分の拡大断面図、（ｂ）は先行技術であるタイプＡと同構造の本発明の実施形態１３Ａの空気揚水装置の内側空気室と外側空気室の部分の拡大断面図、（ｃ）は、先行技術であるタイプＢの空気揚水装置の内側空気室と外側空気室の部分の拡大断面図、（ｄ）は、先行技術であるタイプＢと同構造の本発明の実施形態１３Ｂの空気揚水装置の内側空気室と外側空気室の部分の拡大断面図である。
【図４】（ａ）は、先行技術であるタイプＡ，Ｂの外側空気室の下端、内側空気室の上端および潜り堰状部の下端の要部正面図、（ｂ）は（ａ）の断面図、（ｃ）は、本発明の実施形態の外側空気室の下端、内側空気室の上端および潜り堰状部の下端の要部正面図、（ｄ）〜（ｆ）は、それぞれ（ａ）の断面図である。
【図５】先行技術であるタイプＡの空気揚水装置であり、（ａ）は側面断面図、（ｂ）〜（ｄ）は、空気が空気塊として放出される過程の分解図である。
【図６】先行技術であるタイプＢの空気揚水装置であり、（ａ）は側面断面図、（ｂ）〜（ｄ）は、空気が空気塊として放出される過程の分解図である。
【符号の説明】
【００４９】
１    揚水筒
２    内側空気室
２ｂ  側部注水穴
２ｃ  底部注水穴
２ｄ  外壁部分
２ｅ  上端
３    外側空気室
３ａ  下端
３ｂ  上端閉塞部
３ｃ  空気溜まり部
３ｄ  内部閉塞部
３ｅ  空気供給口
４    潜り堰状部
４ａ  下端
５    連通路
６    空気供給口
ａ    空気
ｂ    空気塊
ｃ    下層水
Ｈ２  高さ
Ｗ    横方向
ｍ    山切りカット
ｎ    アール若しくはカット面
【図１】
2009207970.tif 000003
【図２】
2009207970.tif 000004
【図３】
2009207970.tif 000005
【図４】
2009207970.tif 000006
【図５】
2009207970.tif 000007
【図６】
2009207970.tif 000008